(57)【要約】  重量平均分子量が１００，０００以上３０，０００，０００以下の範囲の高分子有機物を含む被処理水の除濁膜を用いる処理において、処理水質の悪化を抑制しつつ、除濁膜の閉塞を抑制することができる水処理方法および水処理装置を提供する。重量平均分子量が１００，０００以上３０，０００，０００以下の範囲の高分子有機物を含む被処理水を、除濁膜を用いて処理する除濁工程を含み、被処理水に重量平均分子量が３０，０００以上かつ３，０００，０００以下の範囲のカチオンポリマを添加する、水処理方法である。
2019044312.tif 000002
【特許請求の範囲】
【請求項１】
重量平均分子量が１００，０００以上３０，０００，０００以下の範囲の高分子有機物を含む被処理水を、除濁膜を用いて処理する除濁工程を含み、
前記被処理水に重量平均分子量が３０，０００以上かつ３，０００，０００以下の範囲のカチオンポリマを添加することを特徴とする水処理方法。
【請求項２】
請求項１に記載の水処理方法であって、
前記カチオンポリマが、ポリアミン系、メタクリレート系、およびポリジアリルジメチルアンモニウムクロリド系のうちのいずれかの構造を有するカチオンポリマであることを特徴とする水処理方法。
【請求項３】
請求項１または２に記載の水処理方法であって、
前記カチオンポリマが、ジメチルアミン・エピクロロヒドリン・エチレンジアミン縮合物、または、ジメチルアミン・エピクロロヒドリン・アンモニア縮合物であることを特徴とする水処理方法。
【請求項４】
請求項１〜３のいずれか１項に記載の水処理方法であって、
前記カチオンポリマの重量平均分子量が２００，０００以上かつ３，０００，０００以下の範囲であることを特徴とする水処理方法。
【請求項５】
請求項１〜４のいずれか１項に記載の水処理方法であって、
前記除濁工程の前段において、アニオンポリマを用いる凝集固液分離処理、および生物処理のうちの少なくとも１つの前処理を行うことを特徴とする水処理方法。
【請求項６】
請求項１〜４に記載の水処理方法であって、
前記除濁工程の前段において、アクリルアミド系のアニオンポリマを用いる凝集固液分離処理を行うことを特徴とする水処理方法。
【請求項７】
請求項１〜６のいずれか１項に記載の水処理方法であって、
前記除濁膜の材質が、ポリフッ化ビニリデン、ポリ塩化ビニル、およびポリエーテルスルホンのうちの少なくとも１つであることを特徴とする水処理方法。
【請求項８】
請求項１〜７のいずれか１項に記載の水処理方法であって、
前記除濁工程の処理水を逆浸透膜によって処理する逆浸透膜処理工程をさらに含むことを特徴とする水処理方法。
【請求項９】
重量平均分子量が１００，０００以上３０，０００，０００以下の範囲の高分子有機物を含む被処理水を、除濁膜を用いて処理する除濁装置と、
前記被処理水に重量平均分子量が３０，０００以上かつ３，０００，０００以下の範囲のカチオンポリマを添加する薬注手段と、
を備えることを特徴とする水処理装置。
【請求項１０】
請求項９に記載の水処理装置であって、
前記カチオンポリマが、ポリアミン系、メタクリレート系、およびポリジアリルジメチルアンモニウムクロリド系のうちのいずれかの構造を有するカチオンポリマであることを特徴とする水処理装置。
【請求項１１】
請求項９または１０に記載の水処理装置であって、
前記カチオンポリマが、ジメチルアミン・エピクロロヒドリン・エチレンジアミン縮合物、または、ジメチルアミン・エピクロロヒドリン・アンモニア縮合物であることを特徴とする水処理装置。
【請求項１２】
請求項９〜１１のいずれか１項に記載の水処理装置であって、
前記カチオンポリマの重量平均分子量が２００，０００以上かつ３，０００，０００以下の範囲であることを特徴とする水処理装置。
【請求項１３】
請求項９〜１２のいずれか１項に記載の水処理装置であって、
前記除濁装置の前段に、アニオンポリマを用いる凝集固液分離処理装置、および生物処理装置のうちの少なくとも１つである前処理装置を備えることを特徴とする水処理装置。
【請求項１４】
請求項９〜１２に記載の水処理装置であって、
前記除濁装置の前段に、アクリルアミド系のアニオンポリマを用いる凝集固液分離処理装置を備えることを特徴とする水処理装置。
【請求項１５】
請求項９〜１４のいずれか１項に記載の水処理装置であって、
前記除濁膜の材質が、ポリフッ化ビニリデン、ポリ塩化ビニル、およびポリエーテルスルホンのうちの少なくとも１つであることを特徴とする水処理装置。
【請求項１６】
請求項９〜１５のいずれか１項に記載の水処理装置であって、
前記除濁装置の処理水を逆浸透膜によって処理する逆浸透膜処理装置をさらに備えることを特徴とする水処理装置。
【発明の詳細な説明】
【技術分野】
【０００１】
本発明は、水処理方法および水処理装置に関する。
【背景技術】
【０００２】
近年、上下水処理や工場排水処理等において、除濁膜が用いられる機会が増加している。しかし、被処理水に含まれる高分子有機物が除濁膜に膜閉塞をもたらすことが知られている。ここで除濁膜とは、精密ろ過膜（ＭＦ膜）および限外ろ過膜（ＵＦ膜）のことである。また、ここで高分子有機物とは、例えば、生物処理の処理水に含まれる生物代謝物や、凝集固液分離処理において添加されるアニオンポリマ等が挙げられる。【０００３】
このため、前処理でアニオンポリマを用いる凝集処理により高分子有機物を低減する、除濁工程を膜ではなく砂ろ過を用いて行う、または、前処理で触媒と酸化剤を用いて高分子有機物を酸化分解する（特許文献１参照）等の対策が取られている。【０００４】
しかし、凝集処理で添加されるアニオンポリマは過剰に添加された場合に後段の除濁膜でさらなる膜閉塞を招くため、水質が変動する工場の排水処理や天然水の処理等では運転管理が難しい。また、砂ろ過を採用した場合は、処理水の水質が膜処理と比較して劣る。酸化分解を行う場合は、工程や装置が煩雑になる。
【先行技術文献】
【特許文献】
【０００５】
【特許文献１】特許第６１２８９６４号公報
【発明の概要】
【発明が解決しようとする課題】
【０００６】
本発明の目的は、重量平均分子量が１００，０００以上３０，０００，０００以下の範囲の高分子有機物を含む被処理水の除濁膜を用いる処理において、処理水質の悪化を抑制しつつ、除濁膜の閉塞を抑制することができる水処理方法および水処理装置を提供することにある。
【課題を解決するための手段】
【０００７】
本発明は、重量平均分子量が１００，０００以上３０，０００，０００以下の範囲の高分子有機物を含む被処理水を、除濁膜を用いて処理する除濁工程を含み、前記被処理水に重量平均分子量が３０，０００以上かつ３，０００，０００以下の範囲のカチオンポリマを添加する、水処理方法である。【０００８】
前記水処理方法において、前記カチオンポリマが、ポリアミン系、メタクリレート系、およびポリジアリルジメチルアンモニウムクロリド系のうちのいずれかの構造を有するカチオンポリマであることが好ましい。【０００９】
前記水処理方法において、前記カチオンポリマが、ジメチルアミン・エピクロロヒドリン・エチレンジアミン縮合物、または、ジメチルアミン・エピクロロヒドリン・アンモニア縮合物であることが好ましい。【００１０】
前記水処理方法において、前記カチオンポリマの重量平均分子量が２００，０００以上かつ３，０００，０００以下の範囲であることが好ましい。【００１１】
前記水処理方法において、前記除濁工程の前段において、アニオンポリマを用いる凝集固液分離処理、および生物処理のうちの少なくとも１つの前処理を行うことが好ましい。【００１２】
前記水処理方法における前記除濁工程の前段において、アクリルアミド系のアニオンポリマを用いる凝集固液分離処理を行うことが好ましい。【００１３】
前記水処理方法において、前記除濁膜の材質が、ポリフッ化ビニリデン、ポリ塩化ビニル、およびポリエーテルスルホンのうちの少なくとも１つであることが好ましい。【００１４】
前記水処理方法において、前記除濁工程の処理水を逆浸透膜によって処理する逆浸透膜処理工程をさらに含むことが好ましい。【００１５】
また、本発明は、重量平均分子量が１００，０００以上３０，０００，０００以下の範囲の高分子有機物を含む被処理水を、除濁膜を用いて処理する除濁装置と、前記被処理水に重量平均分子量が３０，０００以上かつ３，０００，０００以下の範囲のカチオンポリマを添加する薬注手段と、を備える、水処理装置である。【００１６】
前記水処理装置において、前記カチオンポリマが、ポリアミン系、メタクリレート系、およびポリジアリルジメチルアンモニウムクロリド系のうちのいずれかの構造を有するカチオンポリマであることが好ましい。【００１７】
前記水処理装置において、前記カチオンポリマが、ジメチルアミン・エピクロロヒドリン・エチレンジアミン縮合物、または、ジメチルアミン・エピクロロヒドリン・アンモニア縮合物であることが好ましい。【００１８】
前記水処理装置において、前記カチオンポリマの重量平均分子量が２００，０００以上かつ３，０００，０００以下の範囲であることが好ましい。【００１９】
前記水処理装置において、前記除濁装置の前段に、アニオンポリマを用いる凝集固液分離処理装置、および生物処理装置のうちの少なくとも１つである前処理装置を備えることが好ましい。【００２０】
前記水処理装置において、前記除濁装置の前段に、アクリルアミド系のアニオンポリマを用いる凝集固液分離処理装置を備えることが好ましい。【００２１】
前記水処理装置において、前記除濁膜の材質が、ポリフッ化ビニリデン、ポリ塩化ビニル、およびポリエーテルスルホンのうちの少なくとも１つであることが好ましい。【００２２】
前記水処理装置において、前記除濁装置の処理水を逆浸透膜によって処理する逆浸透膜処理装置をさらに備えることが好ましい。
【発明の効果】
【００２３】
本発明により、重量平均分子量が１００，０００以上３０，０００，０００以下の範囲の高分子有機物を含む被処理水の除濁膜を用いる処理において、処理水質の悪化を抑制しつつ、除濁膜の閉塞を抑制することができる。
【図面の簡単な説明】
【００２４】
【図１】本発明の実施形態に係る水処理装置の一例を示す概略構成図である。
【図２】本発明の実施形態に係る水処理装置の他の例を示す概略構成図である。
【図３】実施例および比較例における、用いたカチオンポリマの重量平均分子量とろ過所要時間（分）との関係を示すグラフである。
【図４】実施例および比較例における、用いたカチオンポリマの重量平均分子量と膜透過率（％）との関係を示すグラフである。
【発明を実施するための形態】
【００２５】
本発明の実施の形態について以下説明する。本実施形態は本発明を実施する一例であって、本発明は本実施形態に限定されるものではない。
【００２６】
本発明の実施形態に係る水処理装置の一例の概略を図１に示し、その構成について説明する。水処理装置１は、除濁膜を用いて処理する除濁装置１２を備える。水処理装置１は、必要に応じて、被処理水を貯留する被処理水槽１０を備えてもよい。
【００２７】
図１の水処理装置１において、被処理水槽１０の入口には被処理水配管１４が接続されている。被処理水槽１０の出口と除濁装置１２の入口とは被処理水供給配管１６により接続されている。除濁装置１２には処理水配管１８が接続されている。被処理水槽１０には、被処理水にカチオンポリマを添加する薬注手段として、カチオンポリマ添加配管２０が接続されている。
【００２８】
本実施形態に係る水処理方法および水処理装置１の動作について説明する。
【００２９】
重量平均分子量が１００，０００以上３０，０００，０００以下の範囲の高分子有機物を含む被処理水は、被処理水配管１４を通して、必要に応じて被処理水槽１０に貯留される。被処理水槽１０において、被処理水にカチオンポリマ添加配管２０を通して、重量平均分子量が３０，０００以上かつ３，０００，０００以下の範囲のカチオンポリマが添加される（カチオンポリマ添加工程）。カチオンポリマは、被処理水配管１４において添加されてもよいし、被処理水供給配管１６において添加されてもよい。
【００３０】
カチオンポリマが添加された被処理水は、被処理水供給配管１６を通して、除濁装置１２へ送液され、除濁装置１２において、除濁膜を用いて除濁処理される（除濁工程）。除濁工程された処理水は、処理水配管１８を通して排出される。
【００３１】
本発明者らは、重量平均分子量が１００，０００以上３０，０００，０００以下の範囲の高分子有機物を含む被処理水の除濁膜を用いる処理において、除濁膜の被処理水に重量平均分子量が３０，０００以上かつ３，０００，０００以下の範囲のカチオンポリマを添加することで、処理水質の悪化を抑制しつつ、除濁膜の閉塞を抑制することができることを見出した。また、簡易な工程や装置で、上記高分子有機物を含む被処理水の除濁処理が可能となる。除濁膜の被処理水に上記カチオンポリマを添加することで、上記高分子有機物が上記カチオンポリマにより捕捉されることにより、高分子有機物による膜閉塞が抑制されると考えられる。また、除濁膜の被処理水に上記カチオンポリマを添加することで、除濁膜における差圧の上昇速度が抑制される。
【００３２】
添加するカチオンポリマは、重量平均分子量が大き過ぎると除濁膜による膜ろ過の負荷になり、除濁膜の操作圧力の上昇を招く。重量平均分子量が小さ過ぎるとカチオンポリマが除濁膜を透過し、処理水質の悪化を招き、後段に逆浸透膜装置を備える場合に逆浸透膜の負荷になる。除濁膜の孔径は膜種や形状等により様々であるが、小さいもので分画分子量３０，０００Ｄａ程度である。また、重量平均分子量３，０００，０００以下であれば、除濁膜ろ過の過剰な負担にはならないと考えられる。よって、添加されるカチオンポリマの重量平均分子量は、３０，０００以上かつ３，０００，０００以下の範囲が良いと考えられる。
【００３３】
添加するカチオンポリマの重量平均分子量は、３０，０００以上かつ３，０００，０００以下の範囲であり、２００，０００以上かつ３，０００，０００以下の範囲であることが好ましく、２００，０００以上かつ６００，０００以下の範囲であることがより好ましい。カチオンポリマの重量平均分子量が３，０００，０００を超えると、膜への負荷がやや大きくなり、ろ過所要時間の低減量が小さくなる場合がある。カチオンポリマの重量平均分子量が３０，０００未満では、膜透過率が大きくなる場合があり、特に２００，０００未満では、膜透過率が大きくなる場合がある。
【００３４】
カチオンポリマとしては、重量平均分子量が３０，０００以上かつ３，０００，０００以下の範囲の、カチオンを有するポリマであればよく、特に制限はないが、ポリアミン系、メタクリレート系、およびポリジアリルジメチルアンモニウムクロリド系のうちのいずれかの構造を有するカチオンポリマであることが好ましい。
【００３５】
ポリアミン系のカチオンポリマとしては、例えば、ジメチルアミン・エピクロロヒドリン・アンモニア縮合物、ジメチルアミン・エピクロロヒドリン・エチレンジアミン縮合物等が挙げられる。
【００３６】
ジメチルアミン・エピクロロヒドリン・アンモニア縮合物は、例えば、下記式（１）
【化１】
2019044312.tif 000003
（１）
で表される構造、および、下記式（２）
【化２】
2019044312.tif 000004
（２）
で表される構造を含むポリマである。上記ポリマでは、式（２）で表される構造と式（１）で表される構造の割合が、モル比（式（２）で表される構造：式（１）で表される構造）で例えば０．０１：９．９９〜７：３であればよい。
【００３７】
ジメチルアミン・エピクロロヒドリン・エチレンジアミン縮合物は、例えば、式（１）で表される構造、および、下記式（３）
【化３】
2019044312.tif 000005
（３）
で表される構造を含むポリマである。上記ポリマでは、式（３）で表される構造と式（１）で表される構造の割合が、モル比（式（３）で表される構造：式（１）で表される構造）で例えば０．０１：９．９９〜７：３であればよい。
【００３８】
メタクリレート系のカチオンポリマは、例えば、下記式（４）
【化４】
2019044312.tif 000006
（４）
で表される構造を含むポリマである。ａ，ｂはモノマのモル比（ａ：ｂ＝０．０１：９．９９〜９．９９：０．０１）を表す。
【００３９】
ポリジアリルジメチルアンモニウムクロリド系のカチオンポリマは、例えば、下記式（５）
【化５】
2019044312.tif 000007
（５）
で表される構造を含むポリマである。ｎは繰り返し単位を表す。
【００４０】
カチオンポリマの添加量は、例えば、高分子有機物の重量に対して、１〜１００重量％の範囲であり、２〜１０重量％の範囲であることが好ましい。カチオンポリマの添加量が高分子有機物の重量に対して、１重量％未満であると、除濁膜の閉塞抑制効果が発揮されにくくなり、１００重量％を超えると、処理水質の悪化やカチオンポリマ自体が膜を閉塞する場合がある。
【００４１】
カチオンポリマを添加する際の被処理水の温度は、特に制限はないが、例えば、５℃〜４０℃の範囲である。
【００４２】
被処理水は、重量平均分子量が１００，０００以上３０，０００，０００以下の範囲の高分子有機物を含む水であればよく、特に制限はない。被処理水に含まれる高分子有機物とは、ＬＣ−ＯＣＤ分析装置（ＤＯＣ−ＬＡＢＯＲ社製、ｍｏｄｅｌ  ８）において、バイオポリマとして検出される有機物のことであり、その特徴は、重量平均分子量が１００，０００以上であることであり、上限は特に定められていないが、例えば３０，０００，０００以下である。被処理水に含まれる高分子有機物としては、例えば、生物処理の処理水に含まれる生物代謝物や、凝集固液分離処理において添加されるアニオン性高分子凝集剤等のアニオンポリマ等が挙げられる。
【００４３】
被処理水に含まれる高分子有機物の含有量は、例えば、０．１ｍｇ／Ｌ〜１０ｍｇ／Ｌの範囲であり、特に０．２ｍｇ／Ｌ〜１．０ｍｇ／Ｌの範囲の場合に、本実施形態に係る水処理方法および水処理装置が有効である。
【００４４】
除濁処理で用いられる除濁膜は、精密ろ過膜（ＭＦ膜）または限外ろ過膜（ＵＦ膜）である。限外ろ過膜の公称孔径は、０．０１μｍ以上、０．１μｍ未満であり、精密ろ過膜の孔径は、０．１μｍ以上、１０μｍ以下である。分画分子量で表すと、限外ろ過膜の分画分子量は、１，０００以上、１，０００，０００未満である。
【００４５】
除濁膜は、平膜タイプでも中空糸タイプであってもよい。
【００４６】
除濁膜の材質としては、水素結合を形成し、高分子有機物と化学的に結合しやすいものである場合に本技術は効果的であり、例えば、ポリフッ化ビニリデン、ポリ塩化ビニル、ポリエーテルスルホン等が挙げられる。
【００４７】
本実施形態に係る水処理方法および水処理装置において、除濁装置１２の処理水を逆浸透膜によって処理する逆浸透膜処理装置をさらに備え、除濁工程の処理水を逆浸透膜によって処理する逆浸透膜処理工程をさらに含むことが好ましい。
【００４８】
本実施形態に係る水処理方法および水処理装置において、除濁装置１２の前段に、アニオンポリマを用いる凝集固液分離処理装置、および生物処理装置のうちの少なくとも１つである前処理装置を備え、除濁工程の前段において、アニオンポリマを用いる凝集固液分離処理、および生物処理のうちの少なくとも１つの前処理を行うことが好ましい。
【００４９】
本実施形態に係る水処理装置の他の例の概略構成を図２に示す。水処理装置３は、除濁膜を用いて処理する除濁装置１２と、除濁装置１２の処理水を逆浸透膜によって処理する逆浸透膜処理装置２４をさらに備える。また、水処理装置３は、除濁装置１２の前段に、アニオンポリマを用いる凝集固液分離処理装置、および生物処理装置のうちの少なくとも１つである前処理装置２２を備える。水処理装置３は、必要に応じて、被処理水を貯留する被処理水槽１０を備えてもよい。
【００５０】
図２の水処理装置３において、前処理装置２２の出口と被処理水槽１０の入口とは被処理水配管１４により接続されている。被処理水槽１０の出口と除濁装置１２の入口とは被処理水供給配管１６により接続されている。除濁装置１２の出口と逆浸透膜処理装置２４の入口とは処理水配管１８により接続されている。逆浸透膜処理装置２４の透過水出口には、透過水配管２６が接続され、濃縮水出口には、濃縮水配管２８が接続されている。被処理水槽１０には、被処理水にカチオンポリマを添加する薬注手段として、カチオンポリマ添加配管２０が接続されている。
【００５１】
水処理装置３において、前処理装置２２から排出された、重量平均分子量が１００，０００以上３０，０００，０００以下の範囲の高分子有機物を含む被処理水は、被処理水配管１４を通して、必要に応じて被処理水槽１０に貯留される。被処理水槽１０において、被処理水にカチオンポリマ添加配管２０を通して、重量平均分子量が３０，０００以上かつ３，０００，０００以下の範囲のカチオンポリマが添加される（カチオンポリマ添加工程）。カチオンポリマは、被処理水配管１４において添加されてもよいし、被処理水供給配管１６において添加されてもよい。
【００５２】
カチオンポリマが添加された被処理水は、被処理水供給配管１６を通して、除濁装置１２へ送液され、除濁装置１２において、除濁膜を用いて除濁処理される（除濁工程）。除濁工程された処理水は、処理水配管１８を通して、逆浸透膜処理装置２４へ送液され、逆浸透膜処理装置２４において、逆浸透膜を用いて逆浸透膜処理される（逆浸透膜処理工程）。透過水は、透過水配管２６を通して排出され、濃縮水は、濃縮水配管２８を通して排出される。
【００５３】
図２の水処理装置３のように、除濁装置の後段に除濁装置の処理水を逆浸透膜によって処理する逆浸透膜処理装置をさらに備える場合であっても、重量平均分子量が３０，０００以上かつ３，０００，０００以下の範囲のカチオンポリマを用いることにより、カチオンポリマの除濁膜の透過が抑制され、逆浸透膜への負荷が低減される。
【００５４】
図２の水処理装置３のように、除濁装置１２の前段に、アニオンポリマを用いる凝集固液分離処理装置、および生物処理装置のうちの少なくとも１つである前処理装置を備える場合であっても、重量平均分子量が３０，０００以上かつ３，０００，０００以下の範囲のカチオンポリマを用いることにより、例えば、生物処理の処理水に含まれる生物代謝物や、凝集固液分離処理において添加されるアニオン性高分子凝集剤等のアニオンポリマ等の高分子有機物による除濁膜の閉塞を抑制することができる。
【００５５】
逆浸透膜処理としては、逆浸透膜を用いる処理であればよく、特に制限はない。
【００５６】
凝集固液分離処理としては、凝集剤を用いる凝集処理と、固液分離処理とを含む処理であればよく、特に制限はないが、例えば、凝集沈殿処理、凝集加圧浮上処理等が挙げられる。凝集固液分離処理において用いられるアニオンポリマは、例えば、アクリルアミド系のアニオン性高分子凝集剤等が挙げられる。凝集固液分離処理水には、重量平均分子量が１００，０００以上３０，０００，０００以下の範囲の高分子有機物として、このアニオンポリマが含まれる。特に、凝集固液分離処理水に、重量平均分子量が１００，０００以上３０，０００，０００以下の範囲の高分子有機物として、アクリルアミド系のアニオンポリマが含まれる場合に、本実施形態に係る水処理方法および水処理装置が好適に適用される。
【００５７】
生物処理としては、微生物等の生物を用いる処理であればよく、特に制限はない。生物処理水には、重量平均分子量が１００，０００以上３０，０００，０００以下の範囲の高分子有機物として、生物代謝物等のアニオンポリマが含まれる。
【実施例】
【００５８】
以下、実施例および比較例を挙げ、本発明をより具体的に詳細に説明するが、本発明は、以下の実施例に限定されるものではない。【００５９】
＜実施例１〜５＞
高分子有機物を含む被処理水を５０Ｌ作製し、除濁膜に通水した。高分子有機物としては、重量平均分子量１０，０００，０００のアニオンポリマ（アクリルアミド系のアニオン性高分子凝集剤）を０．２ｍｇ／Ｌ添加した。除濁膜としては、立昇社製、材質：ポリ塩化ビニル、分画分子量：５０，０００Ｄａ、孔径：０．０１μｍの限外ろ過膜（中空糸タイプ）を使用し、膜面積１ｍ２となるモジュールを作製した。【００６０】
通水は、被処理水に表１に示すカチオンポリマをそれぞれ２ｍｇ／Ｌ添加して行い、それぞれ被処理水を全てろ過するのに要した時間を測定した。また、除濁膜ろ過水（処理水）中のポリマ濃度を測定することで、ポリマの膜透過率（％）を測定した。【００６１】
ポリマＡ（実施例１）は、ポリアミン系のカチオンポリマである、ジメチルアミン・エピクロロヒドリン・エチレンジアミン縮合物（重量平均分子量３０，０００）であり、ポリマＢ（実施例２）は、ポリアミン系のカチオンポリマである、ジメチルアミン・エピクロロヒドリン・エチレンジアミン縮合物（重量平均分子量７０，０００）であり、ポリマＣ（実施例３）は、ポリアミン系のカチオンポリマである、ジメチルアミン・エピクロロヒドリン・アンモニア縮合物（重量平均分子量２００，０００）であり、ポリマＤ（実施例４）は、ポリジアリルジメチルアンモニウムクロリド系のカチオンポリマ（重量平均分子量６００，０００）であり、ポリマＥ（実施例５）は、メタクリレート系のカチオンポリマ（重量平均分子量３，０００，０００）である。【００６２】
除濁膜ろ過水（処理水）中のポリマ濃度は、燃焼法ＴＯＣ分析装置（島津製作所製、ＴＯＣ−Ｖ）を用いて測定した。【００６３】
＜比較例１〜３＞
比較例１では被処理水にカチオンポリマを添加せずに処理を行った。ポリマＦ（比較例２）は、ポリ塩化アルミニウム（重量平均分子量２，５００）であり、ポリマＧ（比較例３）は、アクリレート系のカチオンポリマ（重量平均分子量１０，０００，０００）である。【００６４】
結果を表１および図３，４に示す。図３には、実施例および比較例における、用いたカチオンポリマの重量平均分子量とろ過所要時間（分）との関係を示す。図４には、実施例および比較例における、用いたカチオンポリマの重量平均分子量と膜透過率（％）との関係を示す。【００６５】
表１および図３，４に示すとおり、重量平均分子量３０，０００から３，０００，０００の範囲のカチオンポリマが最も除濁膜の閉塞抑制効果を示した。重量平均分子量３０，０００以下のポリマＦ（比較例２）は、ろ過所要時間は短くなったものの、カチオンポリマが除濁膜を透過しやすかったため好ましくない。重量平均分子量３，０００，０００以上のポリマＧ（比較例３）においては、ろ過所要時間が長くなり好ましくない。実施例３のポリマＣが、ろ過所要時間と膜透過率のバランスに優れていた。【００６６】
【表１】
2019044312.tif 000008
【００６７】
このように、実施例では、重量平均分子量が１００，０００以上３０，０００，０００以下の範囲の高分子有機物を含む被処理水の除濁膜を用いる処理において、処理水質の悪化を抑制しつつ、除濁膜の閉塞を抑制することができた。
【符号の説明】
【００６８】
１，３  水処理装置、１０  被処理水槽、１２  除濁装置、１４  被処理水配管、１６  被処理水供給配管、１８  処理水配管、２０  カチオンポリマ添加配管、２２  前処理装置、２４  逆浸透膜処理装置、２６  透過水配管、２８  濃縮水配管。
【図１】
2019044312.tif 000009
【図２】
2019044312.tif 000010
【図３】
2019044312.tif 000011
【図４】
2019044312.tif 000012
【国際調査報告】
2019044312.tif 000013
2019044312.tif 000014
2019044312.tif 000015
2019044312.tif 000016